(57)【要約】【課題】内部の室内気候を調整することができるとともに、居住者の要望に応じた間取りを取り入れることができ、快適な居住環境を形成することが可能な建物を提供することを目的とする。【解決手段】居室空間１１，１２，１４，１５，１６を含むメインユニット１０と、このメインユニット１０の南北側に、それぞれ屋外に面して設置され、機能空間２１，２２，２３，３１，３２，３３，３４，３５を含むサブユニット２０，３０とを有しており、メインユニット１０の南側のサブユニット２０は、機能空間として、下階床から上階天井まで吹き抜ける吹き抜け部２１を備えており、この吹き抜け部２１には階段２１ａが設けられている。これにより、上下階を行き来可能としながら、空気を上下階間で流通させることができる。さらに、居住者の要望に応じて、機能空間に様々なバリエーションを持たせることができる。【選択図】図１
2010168787.tif 000002
【特許請求の範囲】
【請求項１】
上階および下階を有し、リビング・ダイニングや寝室等の居室空間を含むメインユニットと、このメインユニットの南面および北面に隣接するとともに、このメインユニットの南北側に、それぞれ屋外に面するようにして設置されるサブユニットとを有する建物であって、
前記サブユニットは、前記メインユニットの居室空間と連続するとともに該居室空間に付属する、玄関や収納、バルコニー等の機能空間を含んでおり、
前記建物本体の南側に位置するサブユニットは、前記機能空間として、下階床から上階天井まで吹き抜ける吹き抜け部を備えており、この吹き抜け部には上下階を連通する階段が設けられていることを特徴とする建物。
【請求項２】
請求項１に記載の建物において、
前記建物本体の南側および北側に位置するサブユニットのうち、少なくとも一方は、前記機能空間として土間部を備えていることを特徴とする建物。
【請求項３】
請求項２に記載の建物において、
前記土間部の土間床は蓄熱土間床または蓄冷土間床となっていることを特徴とする建物。
【請求項４】
請求項１〜３のいずれか一項に記載の建物において、
洗面所とトイレと浴室とからなる水廻り室のうち、洗面所およびトイレは、前記居室空間に隣接するようにして前記メインユニット内に設けられており、浴室は、前記機能空間に隣接するようにして前記北側のサブユニット内に設けられており、
これら洗面所とトイレと浴室は、南北に並んで配置されていることを特徴とする建物。
【請求項５】
請求項４に記載の建物において、
前記水廻り室と前記吹き抜け部の階段は、南北に並んで配置されていることを特徴とする建物。
【請求項６】
請求項１〜５のいずれか一項に記載の建物において、
前記メインユニットは、このメインユニットと前記サブユニットとの境界線に沿って立設される壁を備えており、
この壁には、前記メインユニットの居室空間と前記サブユニットの機能空間とを連通する開口部が形成されていることを特徴とする建物。
【発明の詳細な説明】
【技術分野】
【０００１】
本発明は、住宅等の建物に関する。
【背景技術】
【０００２】
近年、外観や間取りがあらかじめ決められている建物が提供されている（例えば、特許文献１参照）。
このように住宅等の建物を建築するにあたり、施工業者にとっては、例えば躯体構造や間取り等が規格化されている方が、同じ部材等を量産してコストを低減できるとともに、建築される建物ごとに異なる建築技術を磨く必要もないので都合がよい。
【先行技術文献】
【特許文献】
【０００３】
【特許文献１】特開２００３−２３９５４８号公報
【発明の概要】
【発明が解決しようとする課題】
【０００４】
しかしながら、建物の購入者にとっては、間取り等に自身の希望をどれくらい取り入れることができるかが、建物購入の重要な選択条件となる場合がある。
また、建物の中には、家族で集うリビング・ダイニングや各個人に割り当てられた寝室等のような居住者が日常いる場所がある。このような場所が建物のどこに配置されるかも、建物購入の重要な条件となる場合がある。すなわち、このような場所が建物の北側の屋外に面して配置されてしまうと、建物内に日差しを取り込みにくくなり、南側の屋外に面して配置されてしまうと、夏場の強い日差しを遮りにくくなるという、日差しに関する室内気候が問題となる場合がある。さらに、室内気候においては、このような日差しの問題だけでなく、建物内の通気性についても問題となる場合がある。
【０００５】
本発明の課題は、内部の室内気候を調整することができるとともに、居住者の要望に応じた間取りを取り入れることができ、快適な居住環境を形成することが可能な建物を提供することを目的とする。
【課題を解決するための手段】
【０００６】
請求項１に記載の発明は、例えば図１〜図５に示すように、上階および下階を有し、リビング・ダイニングや寝室等の居室空間１１，１２，１４，１５，１６を含むメインユニット１０と、このメインユニット１０の南面および北面に隣接するとともに、このメインユニット１０の南北側に、それぞれ屋外に面して設置されるサブユニット２０，３０とを有する建物であって、
前記サブユニット２０，３０は、前記メインユニット１０の居室空間１１，１２，１４，１５，１６と連続するとともに該居室空間１１，１２，１４，１５，１６に付属する、玄関や収納、バルコニー等の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂを含んでおり、
前記建物本体１の南側に位置するサブユニット２０は、前記機能空間として、下階床から上階天井まで吹き抜ける吹き抜け部２１，２１Ａ，２１Ｂを備えており、この吹き抜け部２１，２１Ａ，２１Ｂには、前記建物本体１の下階と上階とを連通する階段２１ａが設けられていることを特徴とする。
【０００７】
請求項１に記載の発明によれば、前記メインユニット１０は、南北方向において屋外に直接面することがなく、前記南北のサブユニット２０，３０を介していることとなる。すなわち、これら南北のサブユニット２０，３０は、前記メインユニット１０の屋外に対する緩衝帯となる。これによって、前記メインユニット１０が北側の屋外に面して配置されることや、南側の屋外に面して配置されることがなくなるので、従来とは異なり、内部に日差しを取り込みにくくなることや、夏場の強い日差しを遮りにくくなることを確実に防ぐことができ、前記メインユニット１０内における室内気候を調整することができる。また、前記南側に位置するサブユニット２０は、前記機能空間として、下階床から上階天井まで吹き抜ける吹き抜け部２１，２１Ａ，２１Ｂを備えており、この吹き抜け部２１，２１Ａ，２１Ｂには、前記階段２１ａが設けられているので、この階段２１ａによって上下階を行き来可能としながら、前記吹き抜け部２１，２１Ａ，２１Ｂを通じて、空気を、上下階間で流通させることができ、前記メインユニット１０だけでなく、前記建物１全体の室内気候を調整することができる。
さらに、前記サブユニット２０，３０は、前記居室空間１１，１２，１４，１５，１６と連続するとともに該居室空間１１，１２，１４，１５，１６に付属する、玄関や収納、バルコニー等の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂを含んでおり、前記メインユニット１０の南面および北面に隣接するとともに、前記建物本体１の南北側に、それぞれ屋外に面するようにして配設されることを基本的な構成要素とするので、居住者の要望に応じて、前記機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂの大きさを変更したり、配置を変更したり等、様々なバリエーションを持たせることができる。そして、規格商品の建物においても、このように様々なバリエーションのサブユニット２０，３０を複数種類用意しておけば、敷地環境や居住者の要望に合ったものを選択することが可能となる。
これによって、内部の室内気候を調整することができるとともに、居住者の要望に応じた間取りを取り入れることができるので、居住者の要望に合った、居住者にとって快適な居住環境を確実に形成することができる。
【０００８】
請求項２に記載の発明は、例えば図１，図３および図４に示すように、請求項１に記載の建物において、
前記メインユニット１０の南側および北側に位置するサブユニット２０，３０のうち、少なくとも一方は、前記機能空間として土間部２２，３１，３１Ａ，３１Ｂ，３２Ａを備えていることを特徴とする。
【０００９】
請求項２に記載の発明によれば、前記メインユニット１０の南側および北側に位置するサブユニット２０，３０のうち、少なくとも一方は、前記機能空間として土間部２２，３１，３１Ａ，３１Ｂ，３２Ａを備えているので、この土間部２２，３１，３１Ａ，３２Ｂの土間床に太陽熱を蓄熱したり、冷気を蓄冷したりできる。これによって、土間床から発せられる熱や冷気によって、前記サブユニット２０，３０内と、これらサブユニット２０，３０と連続するメインユニット１０内における室内気候を、季節や用途等に合わせて調整することができる。
【００１０】
請求項３に記載の発明は、例えば図１，図３および図４に示すように、請求項２に記載の建物において、
前記土間部２２，３１，３１Ａ，３１Ｂ，３２Ａの土間床は蓄熱土間床２２ａまたは蓄冷土間床３１ａ，３２ａとなっていることを特徴とする。
【００１１】
請求項３に記載の発明によれば、前記土間部２２，３１，３１Ａ，３１Ｂ，３２Ａの土間床は蓄熱土間床２２ａまたは蓄冷土間床３１ａ，３２ａとなっているので、この蓄熱土間床２２ａまたは蓄冷土間床３１ａ，３２ａによって効率良く蓄熱したり、蓄冷したりできる。これによって、前記サブユニット２０，３０内と、これらサブユニット２０，３０と連続するメインユニット１０内における室内気候を、季節や用途等に合わせて、より確実に調整することができる。
【００１２】
請求項４に記載の発明は、例えば図１および図４に示すように、請求項１〜３のいずれか一項に記載の建物において、
洗面所１８とトイレ１９と浴室３６とからなる水廻り室のうち、洗面所１８およびトイレ１９は、前記居室空間１２（１１，１４，１５，１６）に隣接するようにして前記メインユニット１０内に設けられており、浴室３６は、前記機能空間３２，３２Ａ，３２Ｂ（３１，３１Ａ，３１Ｂ，３３，３３Ａ，３３Ｂ，３４，３５，３５Ａ，３５Ｂ）に隣接するようにして前記北側のサブユニット３０内に設けられており、
これら洗面所１８とトイレ１９と浴室３６は、南北に並んで配置されていることを特徴とする。
【００１３】
請求項４に記載の発明によれば、前記洗面所１８とトイレ１９と浴室３６が、南北に並んで配置されているので、これら洗面所１８とトイレ１９と浴室３６の並びに連続性を持たせることができ、使い勝手がよい。
また、これら洗面所１８およびトイレ１９は、前記居室空間１２（１１，１４，１５，１６）に隣接するようにして前記メインユニット１０内に設けられており、浴室３６は、前記機能空間３２，３２Ａ，３２Ｂ（３１，３１Ａ，３１Ｂ，３３，３３Ａ，３３Ｂ，３４，３５，３５Ａ，３５Ｂ）に隣接するようにして前記北側のサブユニット３０内に設けられているので、前記メインユニット１０に隣接して前記北側のサブユニット３０を設置するだけで、前記洗面所１８とトイレ１９と浴室３６を南北に並べて配置でき、これら洗面所１８とトイレ１９と浴室３６とからなる水廻り室を配設しやすい。
【００１４】
請求項５に記載の発明は、例えば図１，図３および図４に示すように、請求項４に記載の建物において、
前記水廻り室と、前記吹き抜け部２１，２１Ａ，２１Ｂの階段２１ａは、南北に並んで配置されていることを特徴とする。
【００１５】
請求項５に記載の発明によれば、前記水廻り室と、前記吹き抜け部２１，２１Ａ，２１Ｂの階段２１ａが、南北に並んで配置されているので、これら水廻り室と階段２１ａの並びに連続性を持たせることができ、使い勝手がよい。例えば、一居住者の自室が前記メインユニット１０の上階にあり、下階にリビング・ダイニング等のパブリックなスペースがある場合であっても、居住者は、このようなパブリックなスペースを通らずに、前記階段２１ａを下りてから前記洗面所１８やトイレ１９、浴室３６へと直接行くことができるので、プライベート保護の観点において優れる。
【００１６】
請求項６に記載の発明は、例えば図１〜図５に示すように、請求項１〜５のいずれか一項に記載の建物において、
前記メインユニット１０は、このメインユニット１０と前記サブユニット２０，３０との境界線に沿って立設される壁１，２，３，４を備えており、
この壁１，２，３，４には、前記メインユニット１０の居室空間１１，１２，１４，１５，１６と前記サブユニット２０，３０の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂとを連通する開口部１ａ，１ｂ，２ａ，２ｂ，２ｃ，３ａ，３ｂ，４ａ，４ｂ，４ｃ，４ｄが形成されていることを特徴とする。
【００１７】
請求項６に記載の発明によれば、前記メインユニット１０は、このメインユニット１０と前記サブユニット２０，３０との境界線に沿って立設される壁１，２，３，４を備えており、この壁１，２，３，４には、前記メインユニット１０の居室空間１１，１２，１４，１５，１６と前記サブユニット２０，３０の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂとを連通する開口部１ａ，１ｂ，２ａ，２ｂ，２ｃ，３ａ，３ｂ，４ａ，４ｂ，４ｃ，４ｄが形成されているので、これら壁１，２，３，４によって前記メインユニット１０とサブユニット２０，３０とを行き来可能に仕切ることができる。
これによって、前記サブユニット２０，３０内の各機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂを、前記メインユニット１０から独立した部屋として使用することも可能であるとともに、前記メインユニット１０を、前記サブユニット２０，３０から適度に切り離すことができ、前記サブユニット２０，３０の緩衝帯としての役割を際立たせることができる。
【発明の効果】
【００１８】
本発明によれば、メインユニットは、南北方向において屋外に直接面することがなく、南北のサブユニットを介していることとなる。すなわち、これら南北のサブユニットは、メインユニットの屋外に対する緩衝帯となる。これによって、メインユニットが北側の屋外に面して配置されることや、南側の屋外に面して配置されることがなくなるので、従来とは異なり、内部に日差しを取り込みにくくなることや、夏場の強い日差しを遮りにくくなることを確実に防ぐことができ、メインユニット内における室内気候を調整することができる。また、南側に位置するサブユニットの吹き抜け部には、上下階を連通する階段が設けられているので、この階段によって上下階を行き来可能としながら、吹き抜け部および階段を通じて、空気を、上下階間で流通させることができ、メインユニットだけでなく、建物全体の室内気候を調整することができる。
さらに、サブユニットは、居室空間と連続するとともに該居室空間に付属する、玄関や収納、バルコニー等の機能空間を含んでおり、メインユニットの南面および北面に隣接するとともに、メインユニットの南北側に、それぞれ屋外に面するようにして設置されることを基本的な構成要素とするので、居住者の要望に応じて、機能空間の大きさを変更したり、配置を変更したり等、様々なバリエーションを持たせることができる。そして、規格商品の建物においても、このように様々なバリエーションのサブユニットを複数種類用意しておけば、敷地環境や居住者の要望に合ったものを選択することが可能となる。
これによって、内部の室内気候を調整することができるとともに、居住者の要望に応じた間取りを取り入れることができるので、居住者の要望に合った、居住者にとって快適な居住環境を確実に形成することができる。
【図面の簡単な説明】
【００１９】
【図１】本発明に係る建物の各階の一例を示す平面図である。
【図２】本発明に係る建物を示す側断面図である。
【図３】図１に示す建物の南側に位置するサブユニットの下階部分の一例を示す平面図である。
【図４】図１に示す建物の北側に位置するサブユニットの下階部分の一例を示す平面図である。
【図５】図１に示す建物の北側に位置するサブユニットの上階部分の一例を示す平面図である。
【発明を実施するための形態】
【００２０】
以下、図面を参照して本発明の実施の形態について説明する。
図１は本発明に係る建物の各階の一例を示す平面図である。
本実施の形態の建物は、上階および下階を有し、リビング・ダイニングや寝室等の居室空間１１，１２，１４，１５，１６を含むメインユニット１０と、このメインユニット１０の南面および北面に隣接するとともに、このメインユニット１０の南北側に、それぞれ屋外に面して設置されるサブユニット２０，３０とを有している。
【００２１】
また、前記メインユニット１０およびサブユニット２０，３０は、図１および図２に示すように、１階（下階）と２階（上階）とからなるものであり、前記メインユニット１０の上階の上部には、小屋裏空間１７が設けられている。
【００２２】
さらに、このメインユニット１０の下階には、居室空間として、リビング・ダイニング１１、キッチン１２が配設されている。
また、このメインユニット１０の南側に位置するサブユニット２０の下階には、機能空間として、吹き抜け部２１、土間部２２が配設されており、北側に位置するサブユニット３０の下階には、玄関である土間部３１、収納室３２が配設されている。
そして、前記吹き抜け部２１には、上下階を連通する階段２１ａが設けられている。本実施の形態の階段２１ａは折り返し階段となっている。
【００２３】
なお、この居室空間とは、建物内において居住者が日常いる場所のことであり、本実施の形態においては、家族で集う前記リビング・ダイニング１１や、このリビング・ダイニング１１に隣接する前記キッチン１２、各個人に割り当てられた寝室１４，１５，１６を指している。
また、この機能空間とは、居住者にとって快適な居住環境を形成するために特定の機能を果たすことが可能な場所のことである。例えば、勉強するためのスペースや物品を収納するためのスペース、建物内の通風性を向上させるためのスペース等、様々な機能空間が挙げられる。
【００２４】
また、前記メインユニット１０の下階には、洗面所１８およびトイレ１９が、前記キッチン１１に隣接するようにして設けられており、前記北側に位置するサブユニット３０には、浴室３６が、前記収納室３２に隣接するようにして設けられている。
【００２５】
そして、これら洗面所１８とトイレ１９と浴室３６は、建物の南北に並んで配置されている。さらに、この水廻り室と、前記吹き抜け部２１の階段２１ａとは、前記建物の南北に並んで配置されている。
なお、トイレ１９の出入口の前方には廊下１９ａがあり、この廊下１９ａは、前記洗面所１８と、前記階段２１ａの登り口と、前記キッチン１２とに接続している。
【００２６】
また、前記メインユニット１０の上階には、前記階段２１ａの降り口と連結するようにして廊下１３が設けられており、さらに、居室空間として、寝室１４，１５，１６が配設されている。
また、前記南側に位置するサブユニット２０の上階には、機能空間として、インナーバルコニー２３が配設されており、北側に位置するサブユニット３０の上階には、機能空間として、勉強部屋３３、上階水廻り室３４、クローゼット３５が配設されている。
さらに、この勉強部屋３３には、前記寝室１５，１６と行き来できる開口部４ａ，４ｂ（後述する）が設けられるとともに、前記上階水廻り室３４と行き来できる出入口が設けられており、前記上階水廻り室３４には前記寝室１４と行き来できる開口部４ｃが設けられているので、この勉強部屋３３および前記上階水廻り室３４を介して、前記寝室１４と、前記寝室１５，１６とが互いに行き来できるようになっている。
【００２７】
なお、本実施の形態のサブユニット２０，３０には、機能空間として、吹き抜け部２１、土間部２２、インナーバルコニー２３、土間部３１、収納室３２、勉強部屋３３、上階水廻り室３４、クローゼット３６が配設されているものとしたが、これに限るものではなく、居住者の要望等に合わせて適宜変更可能である。
【００２８】
ここで、前記吹き抜け部２１は、図１および図２に示すように、前記南側のサブユニット２０の下階床から上階天井まで吹き抜けるように形成されている。この吹き抜け部２１は、本実施の形態においては、前記キッチン１２に隣接する家族の溜まり場２１として使用されるフリースペースとなっている。
【００２９】
また、前記南側に位置するサブユニット２０は、上述のように、機能空間として前記土間部２２を備えている。この土間部２２と前記吹き抜け部２１との間には出入口が設けられている。
なお、本実施の形態の土間部２２の土間床は蓄熱土間床２２ａとなっている。この蓄熱土間床２２ａは、コンクリート製土間床で形成されている。さらに、この蓄熱土間床２２ａと基礎との間に断熱材が介在している。このように形成した場合、例えば木質系の床と比べて、日中の太陽熱を多く蓄熱することができ、室温が下がった夜間にも熱が持続され、快適な室内環境を形成することができる。
なお、本実施の形態の蓄熱土間床２２ａは、内部に温水を通すことができるホース（図示せず）が設けられたものであってもよい。また、この土間床の床面高さは、前記メインユニット１０の床よりも一段低くなるように設定されている。
【００３０】
また、前記土間部２２と屋外とを仕切る外壁には、太陽光を入射可能な通風窓５ｂが設けられている。この通風窓５ｂ、土間部２２の左右の幅一杯に開口している。そして、この通風窓５ｂを通して太陽光が土間部２２に入射可能となっており、この太陽光の太陽熱が蓄熱土間床２２ａに蓄熱されるようになっている。
【００３１】
さらに、前記北側に位置するサブユニット３０は、上述のように、機能空間として前記土間部３１を備えている。
なお、本実施の形態の土間部３１の土間床は蓄冷土間床３１ａとなっている。この蓄冷土間床３１ａは、コンクリート製土間床で形成されているとともに、内部に水を通すことができるホース（図示せず）が設けられたものであり、蓄冷効果が高い。これによって、例えば、夜間の冷気を多く蓄冷することができる。そして、室温が上がった日中にも冷気が持続され、快適な室内環境を形成することができる。
【００３２】
また、図１および図２に示すように、前記メインユニット１０とサブユニット２０，３０との境界線に沿って、これらメインユニット１０とサブユニット２０，３０とを連通する開口部１ａ，１ｂ，２ａ，２ｂ，２ｃ，３ａ，３ｂ，４ａ，４ｂ，４ｃ，４ｄを有する壁１，２，３，４が立設されている。
【００３３】
前記壁１は、下階において、前記メインユニット１０と前記南側のサブユニット２０との境界線に沿って立設されるものである。
また、この壁１の前記キッチン１２と吹き抜け部２１との間に位置する部分に前記開口部１ａが形成されており、前記リビング・ダイニング１１と土間部２２との間に位置する部分に前記開口部１ｂが形成されている。
【００３４】
前記壁２は、下階において、前記メインユニット１０と前記北側のサブユニット３０との境界線に沿って立設されるものである。
また、この壁２の前記洗面所１８と浴室３６との間に位置する部分に前記開口部２ａが形成されており、前記キッチン１２と収納室３２との間に位置する部分に前記開口部２ｂが形成されており、前記リビング・ダイニング１１と土間部３１との間に位置する部分に前記開口部２ｃが形成されている。
【００３５】
前記壁３は、上階において、前記メインユニット１０と前記南側のサブユニット２０との境界線に沿って立設されるものである。
また、この壁３の前記廊下１３と吹き抜け部２１の上部との間に位置する部分に前記開口部３ａが形成されており、前記寝室１４とインナーバルコニー２３との間に位置する部分に前記開口部３ｂが形成されている。
【００３６】
前記壁４は、上階において、前記メインユニット１０と前記北側のサブユニット３０との境界線に沿って立設されるものである。
また、この壁４の前記寝室１５と勉強部屋３３との間に位置する部分に前記開口部４ａが形成されており、前記寝室１６と勉強部屋３３との間に位置する部分に前記開口部４ｂが形成されており、前記寝室１４と上階水廻り室３４との間に位置する部分に前記開口部４ｃが形成されており、前記寝室１４とクローゼット３５との間に位置する部分に前記開口部４ｄが形成されている。
【００３７】
一方、前記サブユニット２０の南側の外壁には、図１および図２に示すように、上階と下階との間の高さ位置に、前記サブユニット２０の横方向に沿って長尺な庇５が設けられている。この庇５よりも下方に位置する外壁の、前記土間部２２と屋外とを仕切る部分には前記通風窓５ｂが設けられており、前記吹き抜け部２１と屋外とを仕切る部分には通風窓５ａが設けられている。この通風窓５ａは、前記吹き抜け部２１の中央部分に太陽光を入射可能な位置に、かつ左右方向の寸法が前記通風窓５ｂと略等しくなるようにして前記外壁に形成されている。
また、この庇５の突出寸法は、夏の日差しが前記通風窓５ａ，５ｂを通過して前記吹き抜け部２１および土間部２２へと差し込まず、冬の日差しが前記通風窓５ａ，５ｂおよび前記開口部１ａ，１ｂを通過して前記メインユニット１０内へと差し込むような長さに設定されている。
なお、東京では夏至の南中時における太陽角度は約７７°であり、冬至の南中時における太陽角度は約３１°である。
また、図２中の一点差線は太陽光の入射角を表しており、建物が立設される地面、すなわち水平方向に対して最も角度が垂直に近い２本の一点鎖線が夏の日差しを示しており、最も垂直には遠い２本の一点鎖線が冬の日差しを示しており、これら夏の日差しと冬の日差しとの間の角度の２本の一点鎖線が春・秋の日差しを示している。
【００３８】
また、前記庇５よりも上方に位置する外壁には、前記吹き抜け部２１の上部と屋外とを仕切る部分に通風窓６ａが設けられており、前記インナーバルコニー２３と屋外とを仕切る部分に通風窓６ｂが設けられている。これら通風窓６ａ，６ｂは、前記通風窓５ａ，５ｂの上方において、これら通風窓５ａ，５ｂの左右方向の寸法と略等しくなるような大きさで形成されている。
さらに、これら通風窓６ａ，６ｂの前方には、複数の水平なフィンを上下に並べて配置してなり、該通風窓６ａ，６ｂおよび前記庇５よりも上方に位置する外壁を覆うルーバー６が設けられている。
【００３９】
このルーバー６の複数のフィンは前記外壁の厚さ方向に対して一定角度で傾斜しているものとする。すなわち、これら複数のフィンは、夏の日差しが上下に並ぶフィンとフィンとの間を通過せず、冬の日差しが上下に並ぶフィンとフィンとの間を通過して、前記吹き抜け部２１の上部や廊下１３、前記開口部３ａ，３ｂを介して寝室１４，１５，１６へと差し込むような角度に設定されている。
また、このようなルーバー６によれば、通風を確保しながら、屋外からの視線を確実に遮ることができるようになっている。
【００４０】
また、このように前記サブユニット２０の南側の外壁に複数の通風窓５ａ，５ｂ，６ａ，６ｂを設けるだけでなく、前記サブユニット３０の北側の外壁にも複数の通風窓を設けることによって、より効率良く通風できるので好ましい。
さらに、前記小屋裏空間１７の北側にも通風窓１７ａが設けられており、より一層効率良く通風が可能となる。
【００４１】
以下、図面を参照して前記サブユニット２０，３０の他の例について説明する。
図３（ａ），（ｂ）は、建物の南側に位置するサブユニット２０の下階部分の一例を示す平面図である。
図３（ａ）において符号２１Ａは、機能空間である吹き抜け部を示す。この吹き抜け部２１Ａは、前記メインユニット１０のキッチン１２に隣接する和室として用いられている。また、符号２２Ａは、機能空間であるデッキスペースを示しており、前記リビング・ダイニング１１に隣接して配設されている。
【００４２】
また、図３（ｂ）において符号２１Ｂは、機能空間である吹き抜け部を示す。この吹き抜け部２１Ｂは、前記メインユニット１０のキッチン１２に隣接するとともに、メインユニット１０の床よりも一段低い床面高さに設定されたペットスペースとして用いられている。また、符号２２Ｂは、機能空間である補助リビングを示しており、前記リビング・ダイニング１１と連続して設けられている。
【００４３】
図４（ａ），（ｂ）は、建物の北側に位置するサブユニット３０の下階部分の一例を示す平面図である。
図４（ａ）において符号３１Ａは、機能空間である土間部を示す。この土間部３１Ａは、前記メインユニット１０のリビング・ダイニング１１に隣接する玄関である。また、符号３２Ａは、機能空間であるライブラリーを示しており、前記キッチン１２に隣接して配設されている。
【００４４】
また、図４（ｂ）において符号３１Ｂは、機能空間である土間部を示す。この土間部３１Ｂは、前記メインユニット１０のリビング・ダイニング１１に隣接する玄関である。また、符号３２Ｂは、機能空間である土間部を示す。この土間部３２Ｂは前記３１Ｂと等しい床面高さに設定されるとともに、前記キッチン１２に隣接して配設される収納室として用いられている。
なお、前記土間部３２Ｂの土間床は蓄冷土間床３２ａとなっているものとする。
【００４５】
図５（ａ），（ｂ）は、建物の北側に位置するサブユニット３０の上階部分の一例を示す平面図である。
図５（ａ）において符号３３Ａは、機能空間であるクローゼットを示す。このクローゼット３３Ａは、前記メインユニット１０の寝室１５，１６に隣接して配設されており、このクローゼット３３Ａおよび前記上階水廻り室３４を介して、前記寝室１４と、前記寝室１５，１６とが互いに行き来できるようになっている。
また、符号３５Ａは、機能空間である書斎を示しており、前記寝室１４に隣接して配設されている。
【００４６】
図５（ｂ）において符号３３Ｂは、機能空間であるプレイルームを示す。このプレイルーム３３Ｂは、前記寝室１５，１６に隣接して配設されており、このプレールーム３３Ｂおよび前記上階水廻り室３４を介して、前記寝室１４と、前記寝室１５，１６とが互いに行き来できるようになっている。
また、符号３５Ｂは、機能空間であるクローゼットを示しており、前記寝室１４に隣接して配設されている。
【００４７】
以上のように、本実施の形態のサブユニット２０，３０は、機能空間として様々な部屋を配設することができる。また、上記実施例だけに限られるものではなく、その他の機能を有する部屋を配設したり、大きさを変更したり、壁の位置を変更するなどして、居住者の要望等に合わせて適宜変更可能となっている。
【００４８】
本実施の形態によれば、前記サブユニット２０，３０が、前記メインユニット１０の南面および北面に隣接するとともに、このメインユニット１０の南北側に、それぞれ屋外に面して設置されているので、前記メインユニット１０は、南北方向において屋外に直接面することがなく、前記南北のサブユニット２０，３０を介していることとなる。すなわち、これら南北のサブユニット２０，３０は、前記メインユニット１０の屋外に対する緩衝帯となる。これによって、前記メインユニット１０が北側の屋外に面して配置されることや、南側の屋外に面して配置されることがなくなるので、従来とは異なり、内部に日差しを取り込みにくくなることや、夏場の強い日差しを遮りにくくなることを確実に防ぐことができ、前記メインユニット１０内における室内気候を調整することができる。また、前記南側に位置するサブユニット２０は、前記機能空間として、下階床から上階天井まで吹き抜ける吹き抜け部２１，２１Ａ，２１Ｂを備えており、この吹き抜け部２１，２１Ａ，２１Ｂには、前記階段２１ａが設けられているので、この階段２１ａによって上下階を行き来可能としながら、前記吹き抜け部２１，２１Ａ，２１Ｂを通じて、空気を、上下階間で流通させることができ、前記メインユニット１０だけでなく、前記建物１全体の室内気候を調整することができる。
【００４９】
さらに、前記サブユニット２０，３０は、前記居室空間１１，１２，１４，１５，１６と連続するとともに該居室空間１１，１２，１４，１５，１６に付属する、玄関や収納、バルコニー等の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂを含んでおり、前記メインユニット１０の南面および北面に隣接するとともに、前記建物本体１の南北側に、それぞれ屋外に面するようにして配設されることを基本的な構成要素とするので、居住者の要望に応じて、前記機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂの大きさを変更したり、配置を変更したり等、様々なバリエーションを持たせることができる。そして、規格商品の建物においても、このように様々なバリエーションのサブユニット２０，３０を複数種類用意しておけば、敷地環境や居住者の要望に合ったものを選択することが可能となる。
これによって、内部の室内気候を調整することができるとともに、居住者の要望に応じた間取りを取り入れることができるので、居住者の要望に合った、居住者にとって快適な居住環境を確実に形成することができる。
【００５０】
また、前記メインユニット１０の南側および北側に位置するサブユニット２０，３０のうち、少なくとも一方は、前記機能空間として土間部２２，３１，３１Ａ，３１Ｂ，３２Ａを備えているので、この土間部２２，３１，３１Ａ，３２Ｂの土間床に太陽熱を蓄熱したり、冷気を蓄冷したりできる。これによって、土間床から発せられる熱や冷気によって、前記サブユニット２０，３０内と、これらサブユニット２０，３０と連続するメインユニット１０内における室内気候を、季節や用途等に合わせて調整することができる。
【００５１】
さらに、前記土間部２２，３１，３１Ａ，３１Ｂ，３２Ａの土間床を蓄熱土間床２２ａまたは蓄冷土間床３１ａ，３２ａとすることによって、この蓄熱土間床２２ａまたは蓄冷土間床３１ａ，３２ａによって効率良く蓄熱したり、蓄冷したりできる。これによって、前記サブユニット２０，３０内と、これらサブユニット２０，３０と連続するメインユニット１０内における室内気候を、季節や用途等に合わせて、より確実に調整することができる。
【００５２】
また、前記洗面所１８とトイレ１９と浴室３６が、南北に並んで配置されているので、これら洗面所１８とトイレ１９と浴室３６の並びに連続性を持たせることができ、使い勝手がよい。
また、これら洗面所１８およびトイレ１９は、居室空間である前記キッチン１２に隣接するようにして前記メインユニット１０内に設けられており、浴室３６は、前記機能空間３２，３２Ａ，３２Ｂに隣接するようにして前記北側のサブユニット３０内に設けられているので、前記メインユニット１０に隣接して前記北側のサブユニット３０を設置するだけで、前記洗面所１８とトイレ１９と浴室３６を南北に並べて配置でき、これら洗面所１８とトイレ１９と浴室３６とからなる水廻り室を配設しやすい。
【００５３】
さらに、前記水廻り室と、前記吹き抜け部２１，２１Ａ，２１Ｂの階段２１ａが、南北に並んで配置されているので、これら水廻り室と階段２１ａの並びに連続性を持たせることができ、使い勝手がよい。例えば、一居住者の自室が前記メインユニット１０の上階にあり、下階にリビング・ダイニング等のパブリックなスペースがある場合であっても、居住者は、このようなパブリックなスペースを通らずに、前記階段２１ａを下りてから前記洗面所１８やトイレ１９、浴室３６へと直接行くことができるので、プライベート保護の観点において優れる。
【００５４】
また、前記メインユニット１０は、このメインユニット１０と前記サブユニット２０，３０との境界線に沿って立設される壁１，２，３，４を備えており、この壁１，２，３，４には、前記メインユニット１０の居室空間１１，１２，１４，１５，１６と前記サブユニット２０，３０の機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂとを連通する開口部１ａ，１ｂ，２ａ，２ｂ，２ｃ，３ａ，３ｂ，４ａ，４ｂ，４ｃ，４ｄが形成されているので、これら壁１，２，３，４によって前記メインユニット１０とサブユニット２０，３０とを行き来可能に仕切ることができる。
これによって、前記サブユニット２０，３０内の各機能空間２１，２１Ａ，２１Ｂ，２２，２２Ａ，２２Ｂ，２３，３１，３１Ａ，３１Ｂ，３２，３２Ａ，３２Ｂ，３３，３３Ａ，３３Ｂ，３４，３５，３５Ａ，３５Ｂを、前記メインユニット１０から独立した部屋として使用することも可能であるとともに、前記メインユニット１０を、前記サブユニット２０，３０から適度に切り離すことができ、前記サブユニット２０，３０の緩衝帯としての役割を際立たせることができる。
【符号の説明】
【００５５】
１０  メインユニット
２０  サブユニット
２１  機能空間（吹き抜け部）
２１ａ  階段
３０  サブユニット
【図１】
2010168787.tif 000003
【図２】
2010168787.tif 000004
【図３】
2010168787.tif 000005
【図４】
2010168787.tif 000006
【図５】
2010168787.tif 000007